(57)【特許請求の範囲】
【請求項１】
前面側に開口部を有する筐体の本体と、
前面に接続部材を露出して備え、前記開口部から前記本体内に挿入され、上面側に上部空間を設けた状態で前記本体内に収納される第１の内部機器と、
前記本体の前面側に着脱自在にされ、前記本体内に収納された前記第１の内部機器の前面側に前部空間を設けた状態で前記本体の前面側に装着されて前記開口部を閉塞する前カバーと、
を備え、
前記前部空間は、前後方向に位置する第１前部空間と第２前部空間とを含み、
前記第１前部空間は、前記第２前部空間より前方に位置して第２の内部機器を収納し、
前記前カバーは、少なくとも１つの周辺機器を備えた上側前カバーと前記第２の内部機器が載置される下側前カバーとに分割して構成され、
前記上側前カバーは、前記本体の前面側に上方向から着脱自在にされ、
前記下側前カバーは、前記本体の前面側に前方向から着脱自在にされる、情報処理端末装置。
【請求項２】
前記第２前部空間には、前記接続部材に接続されるケーブルが収納される、請求項１に記載の情報処理端末装置。
【請求項３】
前記下側前カバーの前記本体の前面側における前方向への移動範囲を所定長さに選択的に規定する規定部材を備える、請求項１又は２に記載の情報処理端末装置。
【請求項４】
前記本体は、左右の側面から前面側に延出する板状体の延出部を有する、請求項１〜３の何れかに記載の情報処理端末装置。
【発明の詳細な説明】
【技術分野】
【０００１】
この発明は、電子キャッシュレジスタやＰＯＳ端末等の情報処理端末装置に関する。
【背景技術】
【０００２】
電子キャッシュレジスタやＰＯＳ端末等の情報処理端末装置は、ディスプレイ、印字装置、スキャナ及びキーボード等の周辺機器を本体内に収納された制御ユニットに接続して構成されている。制御ユニットは、ＵＳＢメモリ等の外部記録媒体が装着されるコネクタ、ハードディスクドライブが挿入されるスロット、外部のホスト装置との接続用の通信ケーブルが装着されるＩ／Ｏポート等の接続部材を備えている。また、制御ユニット及び周辺機器は、ＡＣ−ＤＣアダプタを介して商用電源の供給を受ける。
【０００３】
従来の情報処理端末装置では、キーボードを本体に着脱自在に備え、キーボードのメンテナンスを容易にできるようにしたものがある（例えば、特許文献１参照。）。
【先行技術文献】
【特許文献】
【０００４】
【特許文献１】特開平０６−０７６１５９号公報
【発明の概要】
【発明が解決しようとする課題】
【０００５】
しかし、従来の情報処理端末装置では、ホスト装置との間の接続に用いられる通信ケーブルや本体と分離して配置される周辺機器との間のデータケーブル及び電源ケーブルを本体の背面に露出した接続部材を介して制御ユニットに接続するようにしていた。このため、本体の背面側には、ケーブルを配置するためのスペースが必要になるとともに、複数のケーブルが露出して煩雑な印象を与える問題があった。
【０００６】
この発明の目的は、メンテナンスの容易性を損なうことなく、本体の背面側から複数のケーブルが露出しないようにし、配置スペースを小型化できるとともに、本体背面の美観を向上することができる情報処理端末装置を提供することにある。
【課題を解決するための手段】
【０００７】
この発明の情報処理端末装置は、本体、第１の内部機器、前カバーを備えている。本体は、前面側に開口部を有する筐体である。第１の内部機器は、前面に接続部材を露出して備え、開口部から本体内に挿入され、上面側に上部空間を設けた状態で本体内に収納される。前カバーは、本体の前面側に着脱自在にされ、本体内に収納された第１の内部機器の前面側に前部空間を設けた状態で本体の前面側に装着されて開口部を閉塞する。
【０００８】
この構成により、本体の前面側から前カバーを取り外すと、本体内に収納された第１の内部機器の前面の接続部材が外部に露出する。本体の上面に配置された周辺機器との接続用のケーブルを上部空間を経由して第１の内部機器の前面の接続部材に接続する作業、前カバーに配置された周辺機器との接続用のケーブルを直接に第１の内部機器の前面の接続部材に接続する作業が容易になる。本体の前面側に装着された前カバーは、前部空間に位置するケーブルを被覆する。
【０００９】
この構成において、前部空間は前後方向に位置する第１の前部空間と第２の前部空間とを含み、第２の空間より前方に位置する第１の空間は第２の内部機器を収納するものとすることが好ましい。本体の前面側に重量物である第２の内部機器を収納することで、本体の上面に周辺機器を配置した場合に、本体の前後方向における重量バランスが保たれ、装置を安定して設置することができる。
【００１０】
また、前カバーは周辺機器を備えた上側前カバーと第２の内部機器が載置される下側前カバーとに分割して構成され、上側前カバーは本体の前面側に上方向から着脱自在にされ、下側前カバーは本体の前面側に前方向から着脱自在にされるものとすることが好ましい。本体の前面側に対する前カバーの着脱作業を容易に行うことができる。
【００１１】
さらに、下側前カバーの本体の前面側における前方向への移動範囲を所定長さに選択的に規定する規定部材を備えることが好ましい。規定部材によって下側前カバーの前方向への移動範囲を所定長さに規定することで、下側前カバーが不用意に本体から取り外されることを防止できる。下側前カバーに第２の内部機器が載置されている場合の安全性が確保される。
【００１２】
また、本体の左右の側面から前面側に延出した板状体の延出部を設けることが好ましい。前カバーが左右の延出部の間に弾性的に係合し、前カバーを本体の前面側に容易に着脱自在に構成することができる。
【発明の効果】
【００１３】
この発明によれば、メンテナンスの容易性を損なうことなく、本体の背面側から複数のケーブルが露出しないようにし、配置スペースを小型化できるとともに、本体背面の美観を向上することができる。
【図面の簡単な説明】
【００１４】
【図１】この発明の第１の実施形態に係るＰＯＳ端末装置の外観図である。
【図２】同ＰＯＳ端末装置の概略の組立図である。
【図３】この発明の第２の実施形態に係るＰＯＳ端末装置の概略の組立図である。
【図４】同第２の実施形態に係るＰＯＳ端末装置の概略の側面図である。
【図５】この発明の第３の実施形態に係るＰＯＳ端末装置の概略の側面図である。
【図６】（Ａ）及び（Ｂ）は、同第３の実施形態に係るＰＯＳ端末装置の要部の平面図であり、それぞれ下側前カバーの装着位置及び引出し位置を示す図である。
【発明を実施するための形態】
【００１５】
以下に、この発明の実施形態に係る情報処理端末装置についてＰＯＳ端末装置を例にあげて、図面を参照しつつ説明する。
【００１６】
図１に示すように、この発明の第１の実施形態に係るＰＯＳ端末装置１０Ａは、本体１、上側前カバー２、下側前カバー３から構成される中空筐体構造を呈している。本体１は、上面に店舗側ディスプレイ１１、顧客側ディスプレイ１２及びプリンタ１３を備え、前面側に開口部１０２が形成されている。上側前カバー２は、キーボード１４を一体的に備えている。下側前カバー３は、上側前カバー２の下方に位置する。上側前カバー２と下側前カバー３とは、この発明の前カバーを構成する。また、店舗側ディスプレイ１１、顧客側ディスプレイ１２、プリンタ１３キーボード１４は、この発明の周辺機器である。
【００１７】
店舗側ディスプレイ１１は、表示面を前面側に存在する店舗従業員に対向するように配置され、店舗作業員に表示すべき情報を表示する。顧客側ディスプレイ１２は、表示面を背面側に存在する顧客に対向するように配置され、顧客に表示すべき情報を表示する。プリンタ１３は、レシートを印字する。キーボード１４は、店舗従業員による販売時点情報の入力操作を受け付ける。本体１は、前面に周辺機器としてのカードリーダを備えることもできる。カードリーダは、店舗従業員が保持する従業員カード及び顧客が所有する顧客カードの挿入を受け付け、従業員カード及び顧客カードに記録されているカードデータを読み取る。
【００１８】
ＰＯＳ端末装置１０Ａは、キーボード１４から入力された販売時点情報を内部の記録媒体に記録し、通信ケーブルを介して外部のホスト装置に送信する。
【００１９】
図２に示すように、本体１は、前面側に開口部１０１を有する中空筐体である。上側前カバー２は本体１の前面側に上方から着脱自在に装着される。下側前カバー３は、本体１の前面側に前方から着脱自在にされている。制御ユニット２１は、この発明の第１の内部機器であり、開口部１０２を経由して前方から本体１内に挿入される。下側前カバー３は、本体１の前面側で電源ユニット２２を収納する。電源ユニット２２は、この発明の第２の内部機器であり、上部に放熱板２２１を備え、下側前カバー３に上方から載置される。上側前カバー２及び下側前カバー３は、開口部１０１を閉塞する状態で本体１の前面側に装着される。上側前カバー２は、本体１に下側前カバー３を装着した後に、本体１に装着される。
【００２０】
制御ユニット２１は、板金で構成されたシャーシ２１０内に配置されており、前面にコネクタ２１１〜２１５を露出して備えている。コネクタ２１１〜２１５は、この発明の接続部材である。コネクタ２１１〜２１５には、それぞれ図示しないケーブルを介して、店舗側ディスプレイ１１、顧客側ディスプレイ１２、プリンタ１３、キーボード１４、電源ユニット２２が接続される。制御ユニット２１は、店舗側ディスプレイ１１、顧客側ディスプレイ１２、プリンタ１３、キーボード１４の動作を制御するとともに、電源ユニット２２から電源の供給を受け、さらに店舗側ディスプレイ１１、顧客側ディスプレイ１２、プリンタ１３、キーボード１４に電源を供給する。
【００２１】
なお、制御ユニット２１は、前面にこの発明の接続部材としてのＨＤＤスロット２１６Ａ，２１６Ｂ、ＵＳＢコネクタ２１７Ａ，２１７Ｂ、ＬＡＮソケット２１８を備えている。ＨＤＤスロット２１６Ａ，２１６Ｂには、記録媒体としてのハードディスクドライブが装着される。ＵＳＢコネクタ２１７Ａ，２１７Ｂには、外部記憶媒体としてのＵＳＢメモリが装着される。ＬＡＮソケット２１８には、ホストコンピュータとの接続のためのＬＡＮケーブルのプラグが装着される。
【００２２】
図３に示すように、本体１内に制御ユニット２１を収納した状態で、制御ユニット２１の上面側には本体１との間に上部空間３０１が形成される。上部空間３０１には、店舗側ディスプレイ１１、顧客側ディスプレイ１２及びプリンタ１３とコネクタ２１１〜２１３との間に接続されるケーブルが配置される。
【００２３】
また、本体１に上側前カバー２及び下側前カバー３を装着した状態で、本体１内に収納された制御ユニット２１の前面と上側前カバー２及び下側前カバー３との間には、前部空間３０２が形成される。前部空間３０２は、本体１の前後方向に並ぶ第１前部空間３０２Ａと第２前部空間３０２Ｂとで構成されている。第１前部空間３０２Ａは、第２前部空間３０２Ｂの前方で下側前カバー３の上方に位置している。第１前部空間３０２Ａには、電源ユニット２２が配置されている。第２前部空間３０２Ｂは、電源ユニット２２の背面と制御ユニット１の前面との間に位置する。第２前部空間３０２Ｂには、キーボード１４及び電源ユニット２２とコネクタ２１４及び２１５との間に接続されるケーブルが配置される。
【００２４】
なお、下側前カバー３は、底面に孔部３０４を有している。電源ユニット２２から延出した電源コード、及び制御ユニット２１のＬＡＮソケット２１８にプラグが装着されたＬＡＮケーブルが、下側前カバー３の孔部３０４から本体１の底面側を経由して商用電源及びＬＡＮに接続される。
【００２５】
以上の構成により、店舗側ディスプレイ１１、顧客側ディスプレイ１２、プリンタ１３及びキーボード１４が、本体１の内部で制御ユニット２１の前面側に接続され、これらの接続用のケーブルが本体１内に収納される。本体１の外部には、電源ユニット２２の電源コード及び制御ユニット２２に接続されるＬＡＮケーブルのみが露出し、特に本体１の背面に一切の配線が露出することがない。また、制御ユニット２１に対して本体１の背面からアクセスすることがなく、本体１の背面に開口部を設ける必要もない。このため、ＰＯＳ端末装置の配置スペースを小型化できるとともに、本体１の背面側の美観を向上することができる。
【００２６】
上側前カバー２を本体１の前面側から上方に取り外すことで第２前部空間３０２Ｂ内の制御ユニット２１の前面を外部に露出させることができる。これにより、制御ユニット２１のコネクタ２１１〜２１５に対するケーブルの着脱、ＵＳＢコネクタ２１７Ａ，２１７Ｂに対するＵＳＢメモリの着脱を容易に行うことができる。
【００２７】
また、本体１の前面側に重量物である電源ユニット２２を収納しているため、店舗側ディスプレイ１１、顧客側ディスプレイ１２及びプリンタ１３を上面に配置した本体１の前後方向における重量バランスが保たれ、本体１を安定して設置することができる。
【００２８】
さらに、上側前カバー２を本体１の前面側に上方向から着脱自在にし、下側前カバー３は本体１の前面側に前方向から着脱自在にしているため、本体１の前面側に対する上側前カバー２及び下側前カバー３の着脱作業を容易に行うことができる。
【００２９】
図４に示すように、この発明の第２の実施形態に係るＰＯＳ端末装置１０Ｂの本体１は、弾性変形自在の樹脂素材で構成されており、左右の側面から前面側に板状体の延出部１０３Ａ，１０３Ｂを延出させ、本体１の内部に板金で構成されたフレーム１０２を備えている。その他の構成はＰＯＳ端末装置１０Ａと同様であり、同一の符号を付して説明を省略する。ＰＯＳ端末装置１０Ｂでは、上側前カバー２及び下側前カバー３を、延出部１０３Ａ，１０３Ｂに弾性的に係合させることで、本体１の前面側に対して容易に着脱することができる。また、板金のフレーム１０２により、延出部１０３Ａ，１０３Ｂを含む本体１を補強することができる。フレーム１０２は、１０３Ａ，１０３Ｂを含む本体１が十分な強度を備えている場合には省略することができ、ＰＯＳ端末装置１０Ａに備えることもできる。
【００３０】
図５に示すように、この発明の第３の実施形態に係るＰＯＳ端末装置１０Ｃの下側前カバー３は、上側前カバー２を取り外したうえで、前方に所定長さだけ引き出した後に上方に持ち上げることで、本体１の前面側から取り外すことができるようにされている。下側前カバー３を前方に引き出すことで第２前部空間３０２Ｂが前後方向に拡大し、本体１の内部に収納された制御ユニット２１の前面側のスペースを大きくしてコネクタ２１１〜２１５等に対する作業性を向上することができる。
【００３１】
図６（Ａ）及び（Ｂ）に示すように、ＰＯＳ端末装置１０Ｃは、延出部１０３Ａに、軸部３０３Ａが下側前カバー３の長孔３０４に嵌入して、下側前カバー３の本体１の前方向への移動範囲を所定長さに選択的に規定する規定部材３０３を、左右方向に移動自在に設けている。
【００３２】
下側前カバー３を図６（Ａ）に示す装着位置から図６（Ｂ）に示す引出し位置までの間では、規定部材３０３が長孔３０４の縁部に当接し、下側前カバー３は、本体１の前後方向にのみ移動する。下側前カバー３を図６（Ｂ）に示す引出し位置に移動させ、規定部材３０３の軸部３０３Ａが長孔３０４の背面側の端部に達した状態で、規定部材３０３を矢印Ｘ方向に移動させると、軸部３０３Ａが長孔３０４に直交する方向に連続する解除孔３０５内を移動する。解除孔３０５は、規定部材３０３が上下方向に通過可能な大きさにされており、下側前カバー３を上方に持ち上げて本体１の前面側から取り外すことができる。
【００３３】
下側前カバー３を本体１から取り外すためには、規定部材３０３を長孔３０４から解除孔３０５内に移動させるための操作が必要になる。コネクタ２１１〜２１５等に対する作業性の向上のために、下側前カバー３を前方に引き出して第２前部空間３０２Ｂを前後方向に拡大させた状態でも、下側前カバー３が不用意に本体１から取り外されることを防止できる。重量物である電源ユニット２２が載置されている下側前カバー３の脱落を防止し、安全性を確保することができる。また、下側前カバー３を前方に引き出した状態でも、本体１から制御ユニット２１を抜き出すことはできないため、制御ユニット２１が安易に着脱されることを抑制できる。
【００３４】
規定部材３０３は、延出部１０３Ｂのみ、又は延出部１０３Ａと延出部１０３Ｂとの両方に設けることもできる。特に、延出部１０３Ａと延出部１０３Ｂとの両方に規定部材３０３を備えることで、下側前カバー３を安定して前後方向に移動させることができる。
【００３５】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００３６】
１−本体
２−上側前カバー
３−下側前カバー
１０Ａ〜１０Ｃ−ＰＯＳ端末装置
１１−店舗側ディスプレイ（周辺機器）
１２−顧客側ディスプレイ（周辺機器）
１３−プリンタ（周辺機器）
１４−キーボード（周辺機器）
２１−制御ユニット（第１の内部機器）
２２−電源ユニット（第２の内部機器）
【図１】
0006328526.tif 000002
【図２】
0006328526.tif 000003
【図３】
0006328526.tif 000004
【図４】
0006328526.tif 000005
【図５】
0006328526.tif 000006
【図６】
0006328526.tif 000007